(57)【要約】【課題】リスト表示する対象であるアイテムが全アイテム数に対してどの程度の位置であるかの情報をユーザに対して通知する。【解決手段】車載装置２は、特定のスコープ以外のスコープが指定されたフォルダアイテム取得要求を携帯電話機３に送信する場合にインデックスを指定し、その指定したインデックスに対応付けられているアイテムを含むフォルダアイテム取得応答を携帯電話機３から受信したか否かの可否に基づいて携帯電話機３が保有している全アイテム数の目安となる全アイテム数情報を取得し、リスト表示する対象であるアイテムをリスト表示する場合に当該リスト表示する対象であるアイテムの全アイテム数に対する位置に関する情報をも併せて表示する。【選択図】図１
2010258957.tif 000002
【特許請求の範囲】
【請求項１】
複数のスコープのうち何れかを指定したフォルダアイテム取得要求をインデックスとアイテムとを対応付けて保有している機器に送信するフォルダアイテム取得要求送信手段と、
機器からアイテムを含むフォルダアイテム取得応答を受信するフォルダアイテム取得応答受信手段と、
前記フォルダアイテム取得応答受信手段が機器から受信したフォルダアイテム取得応答に含まれるアイテムを表示手段にリスト表示可能な制御手段とを備えた表示制御装置であって、
前記制御手段は、特定のスコープ以外のスコープが指定されたフォルダアイテム取得要求を前記フォルダアイテム取得要求送信手段から機器に送信させる場合にインデックスを指定し、その指定したインデックスに対応付けられているアイテムを含むフォルダアイテム取得応答を機器から前記フォルダアイテム取得応答受信手段が受信したか否かの可否に基づいて機器が保有している全アイテム数の目安となる全アイテム数情報を取得し、リスト表示させる対象であるアイテムを前記表示手段にリスト表示させる場合に、当該リスト表示させる対象であるアイテムの全アイテム数に対する位置に関する情報をも併せて前記表示手段に表示させることを特徴とする表示制御装置。
【請求項２】
請求項１に記載した表示制御装置において、
前記制御手段は、リスト表示させる対象であるアイテムを前記表示手段にリスト表示させる場合に、当該リスト表示させる対象であるアイテムのうち一度に表示可能なアイテムの全アイテム数に対する位置に関する情報をも併せて前記表示手段に表示させることを特徴とする表示制御装置。
【請求項３】
請求項１に記載した表示制御装置において、
前記制御手段は、リスト表示させる対象であるアイテムを前記表示手段にリスト表示させる場合に、当該リスト表示させる対象であるアイテムのうち特定の処理を実行中にあるアイテムの全アイテム数に対する位置に関する情報をも併せて前記表示手段に表示させることを特徴とする表示制御装置。
【請求項４】
請求項１乃至３の何れかに記載した表示制御装置において、
機器との間で近距離無線通信回線を接続可能な通信回線接続手段を備え、
前記フォルダアイテム取得要求送信手段は、前記通信回線接続手段と機器とが両者の間で近距離無線通信回線を接続している状態でフォルダアイテム取得要求を近距離無線通信により機器に送信し、
前記フォルダアイテム取得応答受信手段は、前記通信回線接続手段と機器とが両者の間で近距離無線通信回線を接続している状態でフォルダアイテム取得応答を機器から近距離無線通信により受信することを特徴とする表示制御装置。
【発明の詳細な説明】
【技術分野】
【０００１】
本発明は、インデックスとアイテムとを対応付けて保有している機器から取得したアイテムをリスト表示可能に構成されている表示制御装置に関する。
【背景技術】
【０００２】
近年、携帯電話機からオーディオデータ（例えば楽曲データ）を例えば車載装置にストリーミング転送する技術が供されている。一方、Ｂｌｕｅｔｏｏｔｈ（登録商標）（以下、ＢＴと称する）の通信規格で制定されているプロファイルの一つとしてＡＶＲＣＰ（オーディオ／ビデオ・リモート制御プロファイル）があり、機器同士の間でＡＶＲＣＰを接続する構成が開示されている（例えば特許文献１参照）。
【先行技術文献】
【特許文献】
【０００３】
【特許文献１】特開２００８−２５９０６８号公報
【発明の概要】
【発明が解決しようとする課題】
【０００４】
ところで、ＡＶＲＣＰの１．４版（ＡＶＲＣＰ１．４）では、オーディオデータの転送先である車載装置において、特定のスコープを指定したフォルダアイテム取得要求を携帯電話機に送信する場合に限り全アイテム数を携帯電話機から取得可能となっている。しかしながら、特定のスコープ以外のスコープを指定したフォルダアイテム取得要求を携帯電話機に送信する場合には全アイテム数を携帯電話機から取得不可能であり、リスト表示させる対象であるアイテムが全アイテム数に対してどの程度の位置であるかの情報をユーザに対して通知することが不可能であるという問題がある。
【０００５】
本発明は、上記した事情に鑑みてなされたものであり、その目的は、特定のスコープ以外のスコープを指定したフォルダアイテム取得要求を機器に送信する場合であっても、リスト表示させる対象であるアイテムが全アイテム数に対してどの程度の位置であるかの情報をユーザに対して通知することができ、操作性を高めることができる表示制御装置を提供することにある。
【課題を解決するための手段】
【０００６】
請求項１に記載した発明によれば、制御手段は、特定のスコープ以外のスコープが指定されたフォルダアイテム取得要求をフォルダアイテム取得要求送信手段から機器に送信させる場合にインデックスを指定し、その指定したインデックスに対応付けられているアイテムを含むフォルダアイテム取得応答を機器からフォルダアイテム取得応答受信手段が受信したか否かの可否に基づいて機器が保有している全アイテム数の目安となる全アイテム数情報を取得し、リスト表示させる対象であるアイテムを表示手段にリスト表示させる場合に、当該リスト表示させる対象であるアイテムの全アイテム数に対する位置に関する情報をも併せて表示手段に表示させる。
【０００７】
これにより、特定のスコープ以外のスコープを指定したフォルダアイテム取得要求を機器に送信する場合であっても、リスト表示させる対象であるアイテムが全アイテム数に対してどの程度の位置であるかの情報をユーザに対して通知することができ、操作性を高めることができる。
【０００８】
請求項２に記載した発明によれば、制御手段は、リスト表示させる対象であるアイテムを表示手段にリスト表示させる場合に、当該リスト表示させる対象であるアイテムのうち一度に表示可能なアイテムの全アイテム数に対する位置に関する情報をも併せて表示手段に表示させる。これにより、リスト表示させる対象であるアイテムのうち一度に表示可能なアイテム、即ち、ユーザが閲覧中にあるアイテムが全アイテム数に対してどの程度の位置であるかの情報をユーザに対して通知することができる。
【０００９】
請求項３に記載した発明によれば、制御手段は、リスト表示させる対象であるアイテムを表示手段にリスト表示させる場合に、当該リスト表示させる対象であるアイテムのうち特定の処理を実行中にあるアイテムの全アイテム数に対する位置に関する情報をも併せて表示手段に表示させる。これにより、リスト表示させる対象であるアイテムのうち特定の処理を実行中にあるアイテム、即ち、特定の処理がアイテムを再生する処理であればユーザが聴いているアイテムが全アイテム数に対してどの程度の位置であるかの情報をユーザに対して通知することができる。
【００１０】
請求項４に記載した発明によれば、通信回線接続手段は、機器との間で近距離無線通信回線を接続可能であり、フォルダアイテム取得要求送信手段は、通信回線接続手段と機器とが両者の間で近距離無線通信回線を接続している状態でフォルダアイテム取得要求を近距離無線通信により機器に送信し、フォルダアイテム取得応答受信手段は、通信回線接続手段と機器とが両者の間で近距離無線通信回線を接続している状態でフォルダアイテム取得応答を機器から近距離無線通信により受信する。これにより、機器と表示制御装置との間でフォルダアイテム取得要求及びフォルダアイテム取得応答を近距離無線通信により送受信することにより、機器と表示制御装置との配置態様の自由度を高めることができる。
【図面の簡単な説明】
【００１１】
【図１】本発明の一実施形態を示す機能ブロック図
【図２】フローチャート
【図３】表示部に表示される画面の遷移を示す図（その１）
【図４】表示部に表示される画面の遷移を示す図（その２）
【図５】表示部に表示される画面の遷移を示す図（その３）
【図６】表示部に表示される画面の遷移を示す図（その４）
【図７】表示部に表示される画面の遷移を示す図（その５）
【図８】表示部に表示される画面の遷移を示す図（その６）
【発明を実施するための形態】
【００１２】
以下、本発明の表示制御装置を車両に搭載可能なＢｌｕｅｔｏｏｔｈ（登録商標）（以下、ＢＴと称する）通信機能を有するＢＴ対応の車載装置に適用した一実施形態について、図面を参照して説明する。尚、ここでは、車載装置が搭載されている車両の車室内に、ＢＴ通信機能を有するＢＴ対応の携帯電話機が持込まれ、車載装置と携帯電話機とがＢＴ通信可能な状態にある場合を説明する。
【００１３】
車載システム１は、車載装置２（本発明でいう表示制御装置）と携帯電話機３（本発明でいう機器）とから構成されている。車載装置２は、制御部４（本発明でいう制御手段）と、ＢＴ通信部５（本発明でいうフォルダアイテム取得要求送信手段、フォルダアイテム取得応答受信手段、通信回線接続手段）と、操作受付部６と、表示部７（本発明でいう表示手段）と、音出力部８と、記憶部９と、信号入力部１０とを備えて構成されている。
【００１４】
制御部４は、周知のマイクロコンピュータからなるＣＰＵ、ＲＡＭ、ＲＯＭ及びＩ／Ｏバス等を有し、車載装置２の通信動作やデータ管理動作等の動作全般を制御する。ＢＴ通信部５は、携帯電話機３との間でＢＴ通信を行う機能を有し、携帯電話機３との間でＢＴ通信回線（本発明でいう近距離無線通信回線）を接続している状態でＢＴの通信規格で制定されているオーディオ／ビデオのリモート制御を実現するためのＡＶＲＣＰ（オーディオ／ビデオ・リモート制御プロファイル）の１．４版（ＡＶＲＣＰ１．４）を接続可能に構成されている。ＢＴ通信部５は、ＡＶＲＣＰ１．４の接続状態では複数のスコープのうち何れかを指定してフォルダアイテム取得要求を携帯電話機３に送信する。
【００１５】
この場合、ＢＴ通信部５がフォルダアイテム取得要求に指定可能なスコープは「メディアプレイヤーリスト」、「バーチャルメディアファイルシステム」、「サーチ」及び「ナウプレイング」の４種類がある。尚、ＢＴ通信部５は、ＡＶＲＣＰ１．４の他に、ハンズフリー通話を実現するためのハンズフリー・プロファイル（ＨＦＰ）や電話帳データの転送を実現するためのフォン・ブック・アクセス・プロファイル（ＰＢＡＰ）等を接続可能に構成されていても良く、又、これら複数のプロファイルを同時接続（所謂マルチ接続）可能であっても良いし不可能であっても良い。尚、これらプロファイルは、機能毎に定義された通信プロトコルを意味している。
【００１６】
操作受付部６は、例えば機械的なハードスイッチや表示部７が表示する画面上に形成されるタッチ釦等から構成され、ユーザがハードスイッチやタッチ釦等を操作したことを検出すると、ユーザが操作した内容を示す操作検出信号を制御部４に出力し、制御部４は、操作受付部６から入力した操作検出信号を解析する。表示部７は、例えば液晶ディスプレイから構成され、制御部４から表示指令信号を入力すると、その入力した表示指令信号に基づいて画面を表示したり画面上にタッチ釦を形成したりする。音出力部８は、制御部４から音出力指令信号を入力すると、その入力した音出力指令信号に基づいて音を出力する。尚、本実施形態では、表示部７や音出力部８が車載装置２に組込まれている構成を説明しているが、表示部７に相当する表示装置や音出力部８に相当する音出力装置が車両に予め搭載されていれば、それら表示装置や音出力装置を利用し、表示装置において画面を表示したり画面上にタッチ釦を形成したり、音出力装置において音を出力する構成であっても良い。
【００１７】
記憶部９は、各種データを記憶可能な記憶領域として例えば車載装置２がＢＴ通信回線を接続可能な携帯電話機３の電話番号やＢＴデバイスアドレス等を記憶する記憶領域を有して構成されている。信号入力部１０は、キースイッチからアクセサリ（ＡＣＣ）信号を入力し、制御部４は、キースイッチから入力しているＡＣＣ信号がオン（ハイレベル）である場合には車載装置２を電源オン状態として車載バッテリからの動作電力を全ての機能ブロックに供給させることで通常動作させ（ウェイクアップ状態で動作させ）、一方、キースイッチから入力しているＡＣＣ信号がオフ（ロウレベル）である場合には車載装置２を電源オフ状態として車載バッテリからの動作電力を限定した機能ブロックに供給させることで低消費電力動作させる（スリープ状態で動作させる）。
【００１８】
携帯電話機３は、制御部１１と、ＢＴ通信部１２と、電話通信部１３と、操作受付部１４と、表示部１５と、送話音声入力部１６と、受話音声出力部１７と、記憶部１８とを備えて構成されている。制御部１１は、周知のマイクロコンピュータからなるＣＰＵ、ＲＡＭ、ＲＯＭ及びＩ／Ｏバス等を有し、携帯電話機３の通信動作やデータ管理動作等の動作全般を制御する。
【００１９】
ＢＴ通信部１２は、車載装置２との間でＢＴ通信を行う機能を有し、車載装置２との間でＢＴ通信回線を接続している状態でＢＴの通信規格で制定されているＡＶＲＣＰ１．４を接続可能に構成されている。尚、ＢＴ通信部１２も、上記した車載装置２のＢＴ通信部５と同様にして、ＡＶＲＣＰ１．４の他に、ＨＦＰやＰＢＡＰ等を接続可能に構成されていても良く、又、これら複数のプロファイルを同時接続可能であっても良いし不可能であっても良い。
【００２０】
電話通信部１３は、通信網との間で広域無線通信を行う機能を有して構成されている。操作受付部１４は、発信キー、応答キー、数字キー及びマルチキー等の複数のキーが配列されてなるキーボードから構成され、ユーザが何れかのキーを操作したことを検出すると、ユーザが操作した内容を示す操作検出信号を制御部１１に出力し、制御部１１は、操作受付部１４から入力した操作検出信号を解析する。表示部１５は、例えば液晶ディスプレイから構成され、制御部１１から表示指令信号を入力すると、その入力した表示指令信号に基づいて待受画面や着信通知画面等の各種画面を表示する。
【００２１】
記憶部１８は、インデックスとアイテムとを対応付けて記憶可能な記憶領域を有して構成されている。アイテムとはトラック（楽曲のタイトル）である。尚、上記した携帯電話機３においては、通話状態にある場合には、送話音声入力部１６に入力された送話音声は制御部１１の音声処理モジュールで送話処理されて電話通信部１３から通信網に送信され、通信網から電話通信部１３に受信された受話音声は制御部１１の音声処理モジュールで受話処理されて受話音声出力部１７から出力される。
【００２２】
次に、上記した構成の作用について、図２乃至図８を参照して説明する。図２は車載装置２が行う処理をフローチャートにより示している。車載装置２において、制御部４は、例えばキースイッチから信号入力部１０に入力されているＡＣＣ信号がオフからオンに切換わったと判定すると、装置自体をスリープ状態からウェイクアップ状態に切換えて動作させ、ＢＴ通信部５と携帯電話機３との間でＢＴ通信回線を接続させ、ＡＶＲＣＰ１．４の接続手順を開始する。尚、制御部４は、このようにＡＣＣ信号がオフからオンに切換わったことをトリガとしてＡＶＲＣＰ１．４の接続手順を開始することに限らず、ユーザが例えば手動操作したことをトリガとしてＡＶＲＣＰ１．４の接続手順を開始しても良い。
【００２３】
制御部４は、ＡＶＲＣＰ１．４の接続手順を完了すると、ＡＶＲＣＰ１．４の接続中に、上記した「メディアプレイヤーリスト」、「バーチャルメディアファイルシステム」、「サーチ」及び「ナウプレイング」のうち「バーチャルメディアファイルシステム」（本発明でいう特定のスコープ）以外の「メディアプレイヤーリスト」、「サーチ」又は「ナウプレイング」をフォルダアイテム取得要求のスコープに指定した場合に図２に示す処理を行う。
【００２４】
制御部４は、表示部７が一度に表示可能なアイテム数に「１」を加えた値をインデックス値として設定し（ステップＳ１）、粗探査処理を開始する（ステップＳ２）。この場合、制御部４は、インデックス値が４オクテットで表記されることにより、「インデックス値＜４２９４９６７２９６（２の３２乗）」の範囲でインデックス値を設定する。
【００２５】
制御部４は、粗探査処理を開始すると、フォルダアイテム取得要求のスコープに「メディアプレイヤーリスト」、「サーチ」及び「ナウプレイング」の何れかを指定し、その何れかをスコープに指定したフォルダアイテム取得要求のパラメータであるスタートアイテム及びエンドアイテムに当該設定したインデックス値を設定する（ステップＳ３）。次いで、制御部４は、インデックス値を設定したフォルダアイテム取得要求をＢＴ通信部５から携帯電話機３に送信させ（ステップＳ４）、携帯電話機３からフォルダアイテム取得応答をＢＴ通信部５により受信するのを待機する（ステップＳ５）。携帯電話機３は、車載装置２からフォルダアイテム取得要求を受信すると、その受信したフォルダアイテム取得要求で指定されているインデックスに対応付けられたアイテムが記憶部１８に記憶されているか否かを判定し、その受信したフォルダアイテム取得要求で指定されているインデックスに対応付けられたアイテムが記憶部１８に記憶されている場合には、そのアイテムを含むフォルダアイテム取得応答を車載装置２に送信する。
【００２６】
制御部４は、フォルダアイテム取得要求を送信させてから所定時間内に携帯電話機３からフォルダアイテム取得応答をＢＴ通信部５により受信したと判定すると、即ち、携帯電話機３にインデックスに対応付けられたアイテムが記憶されていると判定すると（ステップＳ５にて「ＹＥＳ」）、その時点でのインデックス値に「２」を乗じた値を新たなインデックス値として設定し（ステップＳ６）、上記したステップＳ２に戻り（ステップＳ７）、ステップＳ２以降の処理を繰返して行う。
【００２７】
一方、制御部４は、フォルダアイテム取得要求を送信させてから所定時間内に携帯電話機３からフォルダアイテム取得応答をＢＴ通信部５により受信しなかったと判定すると、即ち、携帯電話機３にインデックスに対応付けられたアイテムが記憶されていないと判定すると（ステップＳ５にて「ＮＯ」）、その時点でのインデックス値を「２」で除した値を先頭値として設定すると共に、その時点でのインデックス値を末尾値として設定し（ステップＳ８）、密探査処理を開始する（ステップＳ９）。
【００２８】
制御部４は、密探査処理を開始すると、その時点での先頭値と末尾値との和を「２」で除した値をインデックス値として設定し（ステップＳ１０）、フォルダアイテム取得要求のパラメータであるスタートアイテム及びエンドアイテムに当該設定したインデックス値を設定する（ステップＳ１１）。次いで、制御部２は、インデックス値を設定したフォルダアイテム取得要求をＢＴ通信部５から携帯電話機３に送信させ（ステップＳ１２）、携帯電話機３からフォルダアイテム取得応答をＢＴ通信部５により受信するのを待機する（ステップＳ１３）。この場合も、携帯電話機３は、車載装置２からフォルダアイテム取得要求を受信すると、その受信したフォルダアイテム取得要求で指定されているインデックスに対応付けられたアイテムが記憶部１８に記憶されているか否かを判定し、その受信したフォルダアイテム取得要求で指定されているインデックスに対応付けられたアイテムが記憶部１８に記憶されている場合には、そのアイテムを含むフォルダアイテム取得応答を車載装置２に送信する。
【００２９】
制御部４は、フォルダアイテム取得要求を送信させてから所定時間内に携帯電話機３からフォルダアイテム取得応答をＢＴ通信部５により受信したと判定すると、即ち、携帯電話機３にインデックスに対応付けられたアイテムが記憶されていると判定すると（ステップＳ１３にて「ＹＥＳ」）、その時点でのインデックス値を先頭値として設定し（ステップＳ１４）、上記したステップＳ９に戻り（ステップＳ１５）、ステップＳ９以降の処理を繰返して行う。
【００３０】
一方、制御部４は、フォルダアイテム取得要求を送信させてから所定時間内に携帯電話機３からフォルダアイテム取得応答をＢＴ通信部５により受信しなかったと判定すると、即ち、携帯電話機３にインデックスに対応付けられたアイテムが記憶されていないと判定すると（ステップＳ１３にて「ＮＯ」）、その時点でのインデックス値を末尾値として設定し（ステップＳ１６）、上記したステップＳ９に戻り（ステップＳ１５）、ステップＳ９以降の処理を繰返して行う。尚、制御部４は、上記した図２に示した処理では全アイテム数のおおよその値を確定するに留まり全アイテム数を確定するまでには至らないが、全アイテム数を確定する処理を行うようにしても良い。
【００３１】
以上に説明した処理により、車載装置２においては、指定したインデックスに対応付けられたアイテムを含むフォルダアイテム取得応答を携帯電話機３から受信したか否かの可否に基づいて携帯電話機３が保有している全アイテム数の目安となる全アイテム数情報を取得することが可能となり、リスト表示させる対象であるアイテムをリスト表示させる場合に当該リスト表示させる対象であるアイテムの全アイテム数に対する位置に関する情報をも併せて表示することが可能となる。
【００３２】
本実施形態では、車載装置２は以下の動作を行う。ここでは、ＡＶＲＣＰ１．３を接続した場合と対比して説明する。図３はＡＶＲＣＰ１．３における画面の遷移を示しており、図４乃至図８は本実施形態でのＡＶＲＣＰ１．４における画面の遷移を示している。
【００３３】
ＡＶＲＣＰ１．３では、制御部４は、ポータブル機器未接続画面５１（図３（ａ）参照）を表示部７に表示させている状態で「接続」釦５１ａが押下されたと判定すると、ポータブル機器接続中画面５２（図３（ｂ）参照）を表示部７に表示させ、ＡＶＳＬＣが完了すると、メイン画面５３（図３（ｃ）参照）を表示部７に表示させるに留まる。即ち、ユーザは、これ以降、ブラウズ操作を不可能である。
【００３４】
一方、ＡＶＲＣＰ１．４では、制御部４は、ポータブル機器未接続画面５１（図４（ａ）参照）を表示部７に表示させている状態で「接続」釦５１ａが押下されたと判定すると、ポータブル機器接続中画面５２（図４（ｂ）参照）を表示部７に表示させ、メディアプレイヤーを選択して起動させることで、プレイヤー起動中画面５４（図４（ｃ）参照）を表示部７に表示させる。そして、制御部４は、ＡＶＳＬＣが完了すると、ＡＶＲＣＰ１．３におけるメイン画面５３とは異なるメイン画面５５（図５（ａ）参照）を表示部７に表示させる。ＡＶＲＣＰ１．４におけるメイン画面５５では、ＡＶＲＣＰ１．３におけるメイン画面５３とは異なり、「再生リスト」釦５５ａ及び「ライブラリ」釦５５ｂが設けられており、これ以降、ユーザは、「再生リスト」釦５５ａ及び「ライブラリ」釦５５ｂを押下することで付加価値を得ることができる。
【００３５】
即ち、制御部４は、メイン画面５５を表示部７に表示させている状態で「再生リスト」釦５５ａが押下されたと判定すると、ブラウズ画面（再生リスト）５６を表示部７に表示させ、上スキップ釦５６ａ、下スキップ釦５６ｂ、上スクロール釦５６ｃ及び下スクロール釦５６ｄを形成して表示させ、ユーザがリスト表示の対象であるアイテムであるトラック（楽曲のタイトル）を容易に切換えることを可能とすると共に、トラックをリスト表示させる。ここで、本実施形態では、上記した処理を行ったことで全トラック数の目安となる全トラック数情報を取得しているので、リスト表示させているトラックの全トラック数に対する位置に関する情報をバー５６ｅにより表示させる。
【００３６】
具体的に説明すると、制御部４は、例えば先頭のトラックが「トラック１」であり、リスト表示させている（ユーザが一度に閲覧可能な）トラックが「トラック１」から「トラック１７」の「６トラック」であり、全アイテム数（全トラック数）が「２４トラック」であれば、バー５６ｅの全表示領域における先端部（上端部）から「６／２４」に相当する表示領域を反転表示させる。この場合、制御部４は、リスト表示させているトラックである「トラック１」から「トラック１７」のうち「トラック１」が再生中にあるときには「トラック１」の表示領域を反転表示させる（図５（ｂ）参照）。
【００３７】
又、制御部４は、例えばリスト表示させているトラックが「トラック４」から「トラック２１」の「６トラック」に切換わると、バー５６ｅの全表示領域における先端部から「２／２４」だけ離れて「６／２４」に相当する表示領域を反転表示させる。この場合も、制御部４は、リスト表示させているトラックである「トラック４」から「トラック２１」のうち「トラック４」が再生中にあるときには「トラック４」の表示領域を反転表示させる（図５（ｃ）参照）。
【００３８】
即ち、制御部４は、リスト表示させているトラックが全トラック数のうちの先頭側であれば、バー５６ｅの全表示領域における先頭側の表示領域を反転表示させ、一方、リスト表示させているトラックが全トラック数のうちの末尾側であれば、バー５６ｅの全表示領域における末尾側の表示領域を反転表示させる。これにより、ユーザは、リスト表示させているトラックが全トラック数に対してどの位置であるかを容易に認識することができる。尚、制御部４は、図６に示すように、ブラウズ画面５６において確定した全アイテム数（全トラック数）を表示させるようにしても良い。
【００３９】
又、このようにリスト表示させているトラックが全トラック数に対してどの位置であるかをユーザに対して通知することに限らず、再生中（本発明でいう特定の処理を実行中）のトラックが全トラック数に対してどの位置であるかをユーザに対して通知するようにしても良い。即ち、制御部４は、図７及び図８に示すように、リスト表示させているトラックの全トラック数に対する位置に関する情報をバー５６ｅにより表示させると共に、再生中のトラックの全トラック数に対する位置に関する情報をバー５６ｆにより表示させる。
【００４０】
具体的に説明すると、制御部４は、例えば再生中のトラックが「トラック１」であれば、バー５６ｆの全表示領域における先端部（上端部）から「１／２４」に相当する表示領域を反転表示させ、再生中のトラックが「トラック４」であれば、バー５６ｆの全表示領域における先端部から「２／２４」だけ離れて「１／２４」に相当する表示領域を反転表示させる。これにより、ユーザは、リスト表示させているトラックが全トラック数に対してどの位置であるかを容易に認識することができると共に、再生中のトラックが全トラック数に対してどの位置であるかをも容易に認識することもできる。
【００４１】
以上に説明したように本実施形態によれば、車載装置２において、特定のスコープ以外のスコープが指定されたフォルダアイテム取得要求を携帯電話機３に送信する場合にインデックスを指定し、その指定したインデックスに対応付けられているアイテムを含むフォルダアイテム取得応答を携帯電話機３から受信したか否かの可否に基づいて携帯電話機３が保有している全アイテム数の目安となる全アイテム数情報を取得し、リスト表示する対象であるアイテムをリスト表示する場合に当該リスト表示する対象であるアイテムの全アイテム数に対する位置に関する情報をも併せて表示するように構成したので、特定のスコープ以外のスコープを指定したフォルダアイテム取得要求を機器に送信する場合であっても、リスト表示させる対象であるアイテムが全アイテム数に対してどの程度の位置であるかの情報をユーザに対して通知することができ、操作性を高めることができる。
【００４２】
本発明は、上記した実施形態にのみ限定されるものではなく、以下のように変形又は拡張することができる。
表示制御装置は、ハンズフリー機能を有する車載ハンズフリー装置、ナビゲーション機能を有する車載ナビゲーション装置、又は、それらハンズフリー機能とナビゲーション機能との双方を有するハンズフリー機能付き車載ナビゲーション装置であっても良いし、これら車両に搭載される車載装置に限らず、例えば室内に設置される情報処置装置等であっても良い。又、機器は、携帯情報端末であっても良いし、これら携帯可能な機器に限らず、例えば室内に設置される情報処置装置等であっても良い。即ち、車載装置と携帯電話機とに限らず、例えば室内に設置される情報処置装置同士であっても良い。
【００４３】
車載装置と携帯電話機との間でＢＴ通信回線を接続することでフォルダアイテム取得要求やフォルダアイテム取得応答をＢＴ通信回線により送受信する構成に限らず、車載装置と携帯電話機との間でフォルダアイテム取得要求やフォルダアイテム取得応答を有線通信回線により送受信する構成であっても良い。
【００４４】
リスト表示させているトラックが全トラック数に対してどの位置であるかを通知するためのバーと、再生中のトラックが全トラック数に対してどの位置であるかを通知するためのバーとが別々に設けられている構成に限らず、マークの形状や色彩を区別することで、リスト表示させているトラックが全トラック数に対してどの位置であるかを通知するためのマークと、再生中のトラックが全トラック数に対してどの位置であるかを通知するためのマークとが同一のバーに設けられている構成であっても良い。
【符号の説明】
【００４５】
図面中、２は車載装置（表示制御装置）、３は携帯電話機（機器）、４は制御部（制御手段）、５はＢＴ通信部（フォルダアイテム取得要求送信手段、フォルダアイテム取得応答受信手段、通信回線接続手段）である。
【図１】
2010258957.tif 000003
【図２】
2010258957.tif 000004
【図３】
2010258957.tif 000005
【図４】
2010258957.tif 000006
【図５】
2010258957.tif 000007
【図６】
2010258957.tif 000008
【図７】
2010258957.tif 000009
【図８】
2010258957.tif 000010